(57)【要約】      （修正有）【課題】輸送時には、各構成部材を個別に取り外し、必要時に再び組み立てることができ、精度が高く輸送に便利なＬＥＤ球体ディスプレイを提供する。【解決手段】複数の球面ユニット１０と、表示パネルブラケット１２とを含み、球面ユニットは、互いに接続され且つ表示パネルブラケットで支持され球状のディスプレイを構成し、球面ユニットは、複数の球面状の表示パネル部品で構成され、表示パネル部品は、複数の経線スポーク１０１と、複数の緯線スポーク１０２とを含み、経線スポーク及び緯線スポークは、複数の係止溝を介して交互に係合され、且つボルトにより表示パネルブラケットに連結される。表示パネル部品は、更に表示パネルブラケットに配置されるＬＥＤランプパネルと、ＬＥＤランプパネルに装着されるＬＥＤランプと、ＬＥＤランプパネルに接続される電源と、電源に接続されるユニット制御パネルとを含み、ユニット制御パネルは、ＬＥＤランプパネルに装着されたＬＥＤランプの表示を制御する。【選択図】図１ａ
0003188328.tif 000002
【実用新案登録請求の範囲】
【請求項１】
複数の球面ユニットと、表示パネルブラケットとを含み、前記球面ユニットは、互いに接続され且つ前記表示パネルブラケットにより支持されて球状のディスプレイを構成し、
前記球面ユニットは、複数の球面状の表示パネル部品により構成され、前記表示パネル部品は、複数の経線スポークと、複数の緯線スポークとを含み、前記経線スポーク及び緯線スポークは、複数の係止溝を介して交互に係合され、且つボルトによって表示パネルブラケットに連結され、前記表示パネル部品は、更に前記表示パネルブラケットに配置されるＬＥＤランプパネルと、ＬＥＤランプパネルに装着されるＬＥＤランプと、前記ＬＥＤランプパネルに接続される電源と、電源に接続されるユニット制御パネルとを含み、ユニット制御パネルは、ＬＥＤランプパネルに装着されたＬＥＤランプの表示を制御することを特徴とする、ＬＥＤ球体ディスプレイ。
【請求項２】
前記経線スポークに位置決め孔を設け、前記緯線スポーク及び表示パネルブラケットに対応する受け孔を設け、前記位置決め孔と前記受け孔は、ボルトによって一体に接続されることを特徴とする、請求項１に記載のＬＥＤ球体ディスプレイ。
【請求項３】
複数の前記経線スポークは、前記球体ディスプレイの同等経度において大きさが一致し、且つ均一に配置されることを特徴とする、請求項１または２に記載のＬＥＤ球体ディスプレイ。
【請求項４】
複数の前記緯線スポークは、前記球体ディスプレイの同等緯度において大きさが一致し、且つ均一に配置されることを特徴とする、請求項１または２に記載のＬＥＤ球体ディスプレイ。
【請求項５】
前記表示パネルブラケットは、金属枠であることを特徴とする、請求項１または２に記載のＬＥＤ球体ディスプレイ。
【請求項６】
前記経線スポーク及び緯線スポークは、互いに係合されて環状ユニットを構成することを特徴とする、請求項１または２に記載のＬＥＤ球体ディスプレイ。
【請求項７】
前記ＬＥＤ球体ディスプレイは、複数の緯度の異なる環状ユニットが組み合わせられて構成されることを特徴とする、請求項６に記載のＬＥＤ球体ディスプレイ。
【考案の詳細な説明】
【技術分野】
【０００１】
本考案は、ディスプレイに関し、特にＬＥＤ球体ディスプレイに関する。
【背景技術】
【０００２】
電子ディスプレイは、数万〜数十万個の半導体発光ダイオードの画素が均一に配置されることにより構成され、通常はＬＥＤパネルであることがよく知られている。ＬＥＤ（ｌｉｇｈｔ  ｅｍｉｔｔｉｎｇ  ｄｉｏｄｅ）は、発光ダイオードの英文略語であり、半導体発光ダイオードを制御することによって実現される表示方式であって、文字、図形、画像、アニメ、相場情報、映像、及び録画信号など、各種の情報を表示するディスプレイスクリーンである。
【０００３】
ＬＥＤディスプレイは、図形ディスプレイと映像ディスプレイに分かれ、いずれもＬＥＤブロックマトリックスにより構成される。図形ディスプレイは、コンピュータと同調しながら漢字、英文テキスト、及び図形を表示することができ、映像ディスプレイは、マイクロコンピュータにより制御され、図形と画像を同時に表示することができ、リアル且つ同調されたきれいな情報伝播方式で各種の情報を再生し、更に二次元や三次元の動画、録画、テレビ画像、ＶＣＤプログラム及びライブ状況を表示することができる。ＬＥＤディスプレイによる表示画面は、色彩が鮮やかで、立体感が強く、静かさは油絵の如く、動きは映画の如くであり、駅、埠頭、空港、スーパー、病院、ホテル、銀行、証券取引所、建築現場、競売会社、製造企業管理や他の公の場に広く使用されている。
【０００４】
電子ディスプレイは、一般的にはケース、ケース内の液晶パネル、支持枠上の幾つかのＬＥＤ発光管からなる発光モジュール、ＬＥＤの駆動回路及び電源を含んでなる。しかし、従来の球体ディスプレイは、取り付け時にハンダ付けの方式で一体に構成され、ハンダ付けの際に位置づれしやすいので精度が落ち、且つハンダ付けの後に球体ディスプレイの取り外しが容易ではなく、特に、直径２メートル超の過大体積の場合にはその輸送が難しくなる。
【考案の概要】
【考案が解決しようとする課題】
【０００５】
本考案は、従来のＬＥＤ球体ディスプレイの取り外しが不便で、取り付けた後に体積が大きすぎて輸送が難しくなるという課題を解決することができるＬＥＤ球体ディスプレイを提供する。
【課題を解決するための手段】
【０００６】
本考案の技術案は、次のように構成される。即ち、
【０００７】
本考案に開示されたＬＥＤ球体ディスプレイは、複数の球面ユニットと、表示パネルブラケットとを含み、前記球面ユニットは、互いに接続され且つ前記表示パネルブラケットにより支持されて球状のディスプレイを構成し、前記球面ユニットは、複数の球面状の表示パネル部品により構成され、前記表示パネル部品は、複数の経線スポークと、複数の緯線スポークとを含み、前記経線スポーク及び緯線スポークは、複数の係止溝を介して交互に係合され、且つボルトによって表示パネルブラケットに連結され、前記表示パネル部品は、更に前記表示パネルブラケットに配置されるＬＥＤランプパネルと、ＬＥＤランプパネルに装着されるＬＥＤランプと、前記ＬＥＤランプパネルに接続される電源と、前記電源に接続されるユニット制御パネルとを含み、前記ユニット制御パネルは、前記ＬＥＤランプパネルに装着されたＬＥＤランプの表示を制御する。
【０００８】
本技術案の更なる変形としては、前記経線スポークに位置決め孔を設け、前記緯線スポーク及び前記表示パネルブラケットに対応する受け孔を設け、前記位置決め孔と前記受け孔は、ボルトによって一体に接続される。
【０００９】
本技術案の更なる変形としては、複数の前記経線スポークは、前記球体ディスプレイの同等経度において大きさが一致し、且つ均一に配置される。
【００１０】
本技術案の更なる変形としては、複数の前記緯線スポークは、前記球体ディスプレイの同等緯度において大きさが一致し、且つ均一に配置される。
【００１１】
本技術案の更なる変形としては、前記表示パネルブラケットは、金属枠である。
【００１２】
本技術案の更なる変形としては、前記経線スポーク及び緯線スポークは、互いに係合されて環状ユニットを構成する。
【００１３】
本技術案の更なる変形としては、前記ＬＥＤ球体ディスプレイは、複数の緯度の異なる環状ユニットが組み合わせられることによって構成される。
【考案の効果】
【００１４】
本考案に係るＬＥＤ球体ディスプレイは、以下の有益な技術効果がある。即ち、
【００１５】
従来の球体ディスプレイは、その組み立てにおいてハンダ付けという手段が多く使われることに対し、本技術案は、各表示部品は、複数の経線スポーク及び緯線スポークが複数の係止溝を介して互いに係合されることによって組み立てられ、輸送時には各構成部材を個別に取り外し、必要時には再び組み立てることができ、精度が高く、輸送に便利である。
【図面の簡単な説明】
【００１６】
以下、本考案に係る実施例または従来技術の技術案をより詳細に説明するために、実施例または従来の技術の説明に必要な図面について簡単に説明する。また、下記の図面は、本考案の一部の実施例に関わるものであって、これらの図面を参考した上で創造性の作業が行われずに他の関連の図面を得ることは、当業者にとって容易に想到することである。
【００１７】
【図１ａ】本考案に係る球面ユニットの立体構造を模式的に示す図である。
【図１ｂ】本考案に係る球面ユニットの背面図である。
【図２ａ】本考案に係る表示パネルブラケットの構造を模式的に示す図である。
【図２ｂ】本考案の図１ａの任意の一つのユニットを拡大して模式的に示す図である。
【図３】本考案に係る環状ユニットの構造を模式的に示す図である。
【図４】本考案に係るＬＥＤ球体ディスプレイの鋼製枠を模式的に示す図である。
【図５】本考案の比較的好ましい実施例に係るＬＥＤ球体ディスプレイの構造を模式的に示す図である。
【考案を実施するための形態】
【００１８】
以下、本考案の実施例に係る図面を参照しながら本考案の実施例の技術案について明確且つ全般的な説明を行う。下記の実施例は、本考案の一部の実施例にすぎず、全ての実施例を包括したものではないことがいうまでもない。本考案の実施例に基づき、当業者が創造性の作業をせずに得る全ての他の実施例は、いずれも本考案の保護範囲に含まれる。
【００１９】
図１ａ〜図５に示すように、本考案の一実施例によると、ＬＥＤ球体ディスプレイ１は、複数の球面ユニット１０と、表示パネルブラケット１２とを含み、球面ユニット１０は、互いに接続され且つ表示パネルブラケット１２に支持されて球状のディスプレイを構成する。
【００２０】
球面ユニット１０は、複数の球面状の表示パネル部品により構成され、表示パネル部品は、複数の経線スポーク１０１と、複数の緯線スポーク１０２とを含み、経線スポーク１０１及び緯線スポーク１０２は、複数の係止溝１０３を介して交互に係合され、且つボルトによって表示パネルブラケット１２に連結されており、表示パネル部品は、更に前記表示パネルブラケットに配置されるＬＥＤランプパネルと、ＬＥＤランプパネルに装着されるＬＥＤランプと、前記ＬＥＤランプパネルに接続される電源と、電源に接続されるユニット制御パネルとを含み、ユニット制御パネルは、ＬＥＤランプパネルに装着されたＬＥＤランプの表示を制御する（図示せず）。
【００２１】
経線スポーク１０１及び緯線スポーク１０２は、取り外し可能に連結され、輸送時に各部材を個別に取り外し、必要時に再び組み立てることができるので、精度が高く、且つ輸送に便利である。従来の技術において、半田付けによって球面ユニット１０が位置づれしやすく、よって、精度が悪くなるが、取り外し可能に連結されると、このような問題が起こらない。
【００２２】
実際の操作の際には、現場で各球面ユニット１０を取り外し可能に連結した後、半田付けで更に固定してもよい。
【００２３】
隣接する表示パネル部品については、係合部及び被係合部を設けて交互に係合させて一体に構成する。係合部は、係止溝１０３で、被係合部は、シート状の挿入部材である。
【００２４】
球面ユニット１０は、部品ごとにその形状が異なり、例えば、頂部では球面ユニット１０が傘形となるように連結され、中央部では球面ユニット１０が略矩形である。
【００２５】
表示パネルブラケット１２に位置決め孔を設け、経線スポーク１０１及び表示パネルブラケット１２に対応する受け孔を設け、位置決め孔と受け孔は、連結部材により一体に連結される。連結部材としては、ボルトやネジを用いることができる。
【００２６】
本技術案によれば、半田付けという手段を採用せずに固定を行うので、精度制御が容易である。
【００２７】
複数の経線スポーク１０１は、球体ディスプレイ１の同等経度において大きさが一致し、且つ均一に配置される。経線スポーク１０１がこのような構造を取ることでその加工が容易になり、取り付けが便利である。
【００２８】
複数の緯線スポーク１０２は、球体ディスプレイ１の同等緯度において大きさが一致し、且つ均一に配置される。緯線スポーク１０２がこのような構造を取ることでその加工が容易になり、取り付けが便利である。
【００２９】
表示パネルブラケット１２は、鋼製枠である。
【００３０】
図３に示すように、経線スポーク１０１及び緯線スポーク１０２は、互いに係合されて環状ユニット５０を構成する。
【００３１】
図５に示すように、ＬＥＤ球体ディスプレイは、複数の緯度の異なる環状ユニット５０が組み合わせられて構成され、図４に示すＬＥＤ球体ディスプレイの鋼製枠３０によって支持される。
【００３２】
本技術案において、ＬＥＤ球体ディスプレイは、レンタル専用のディスプレイのように移動可能であり、持出しが便利である。更に、３６０度の可視角度を備え、任意の角度から良好な視覚効果を感じることができ、ロビーに展示用に設置してもよく、天井に取り付ける、または移動自在な広告板にするなど、任意の位置に設置することができる。ＬＥＤ球体ディスプレイに特化した音声、映像処理システムを搭載すると、様々な外部信号を受信することが可能で、ライブ中継を実現することができる。短冊状の表示ユニットを採用することで視覚的なインパクトが強く、安全係数が高い。
【００３３】
本考案に係るＬＥＤ球体ディスプレイは、以下の有益な技術効果がある。即ち、
【００３４】
従来の球体ディスプレイは、その組み立てにおいてハンダ付けの手段が多く使われるのに対し、本技術案は、複数の経線スポーク及び緯線スポークが複数の係止溝を介して表示部品同士が互いに係合されることによって組み立てられ、輸送時に各構成部材を個別に取り外し、必要時に再び組み立てることができ、精度が高く、輸送に便利である。
【００３５】
上述の実施形態は、本考案の比較的好ましい実施例にすぎず、本考案を限定するものではない。本考案の主旨から逸脱しない限り、様々な変形や置換などはいずれも本考案の保護範囲に含まれる。
【図１ａ】
0003188328.tif 000003
【図１ｂ】
0003188328.tif 000004
【図２ａ】
0003188328.tif 000005
【図２ｂ】
0003188328.tif 000006
【図３】
0003188328.tif 000007
【図４】
0003188328.tif 000008
【図５】
0003188328.tif 000009